(57)【特許請求の範囲】
【請求項１】
フェージングに対して互いに独立な複数系統のＯＦＤＭ信号をそれぞれ受信する複数の受信手段と、
前記各受信手段によって得られた受信信号の受信レベルをそれぞれ検出する複数の受信レベル検出手段と、
前記各受信手段によって得られた前記受信信号からキャリア周波数誤差量をそれぞれ検出する複数の粗調キャリア周波数誤差検出手段と、
前記各粗調キャリア周波数誤差推定手段により推定されたキャリア周波数誤差量に基づき前記各受信手段によって得られた前記受信信号に対しキャリア周波数誤差補正をそれぞれ行う複数の第１のキャリア周波数誤差補正手段と、
前記各第１のキャリア周波数誤差補正手段の出力信号からそれぞれタイミング同期処理に必要なタイミング情報を検出する複数のタイミング検出手段と、
前記各タイミング検出手段により検出されたタイミング情報を用いて前記各第１のキャリア周波数誤差補正手段の出力信号に対しタイミング同期処理を行う複数のタイミング同期手段と、
前記各タイミング同期手段の出力信号からそれぞれキャリア周波数誤差量を検出する複数の微調キャリア周波数誤差検出手段と、
前記各粗調キャリア周波数誤差検出手段より検出されたキャリア周波数誤差量及び前記各微調キャリア周波数誤差検出手段より検出されたキャリア周波数誤差量をそれぞれ加算する複数の加算手段と、
前記各加算手段の出力を前記各受信レベル検出手段によって検出された受信レベルに基づいて重み付け合成することにより、キャリア周波数誤差量を推定するキャリア周波数誤差推定手段と、
前記キャリア周波数誤差推定手段により推定されたキャリア周波数誤差量から前記各粗調キャリア周波数誤差検出手段により検出されたキャリア周波数誤差をそれぞれ減算する複数の減算手段と、
前記各減算手段の出力に基づき前記各タイミング同期手段の出力信号のキャリア周波数誤差補正をそれぞれ行う複数の第２のキャリア周波数誤差補正手段と、
前記各第２のキャリア周波数誤差補正手段の出力信号をそれぞれフーリエ変換する複数のフーリエ変換手段と、
前記各フーリエ変換手段によりフーリエ変換された信号からサブキャリアの振幅情報及び位相情報をそれぞれ検出する複数のチャネル特性検出手段と、
前記各チャネル特性検出手段により検出された各サブキャリアの振幅情報及び位相情報を用いて前記各フーリエ変換手段の出力信号に対しそれぞれ等化処理を行う複数のチャネル等化手段と、
前記各チャネル等化手段の出力信号を前記各受信レベル検出手段により検出された前記受信レベル及び前記各チャネル検出手段により検出された前記各サブキャリアの振幅情報を基に重み付け合成を行う信号合成手段とを具備することを特徴とするダイバーシチ受信回路。
【請求項２】
前記請求項１に記載のダイバーシチ受信回路において、
前記信号合成手段による合成出力の残留キャリア周波数誤差を補正する残留キャリア周波数誤差補正手段を、さらに具備することを特徴とするダイバーシチ受信回路。
【請求項３】
前記請求項１に記載のダイバーシチ受信回路において、
前記信号合成手段により１つに合成された合成出力における、送信される信号の位相を基準とした位相の回転量を検出し、合成信号の残留位相誤差の補正を行う位相トラッキング手段を、さらに具備することを特徴とするダイバーシチ受信回路。
【請求項４】
前記請求項１乃至３のいずれかに記載のキャリア周波数誤差推定手段は、
前記各受信レベル検出手段により検出された受信レベルの大きさに応じて、各系統の重み係数を演算する重み係数演算手段と、
前記各加算手段から出力されたキャリア周波数誤差量に前記各重み係数をそれぞれ乗算する複数の乗算手段と、
前記各乗算手段の出力信号を加算する加算手段と、を具備することを特徴とするダイバーシチ受信回路。
【請求項５】
前記請求項１乃至３のいずれかに記載のダイバーシチ受信回路において、さらに
前記各タイミング検出手段により出力されたタイミング情報を前記各受信レベル検出手段により検出される受信レベルの大きさに基づき、重み付け合成することにより、同期処理に必要なタイミングを推定するタイミング推定手段と、
前記タイミング推定手段から出力されるタイミング情報に基づき、各ブランチの同期処理をそれぞれ行う複数のタイミング同期手段と、
を具備することを特徴とするダイバーシチ受信回路。
【請求項６】
前記請求項１乃至３のいずれかに記載のダイバーシチ受信回路において、
それぞれのブランチに該ブランチ数と同等数が配置されて、前記各受信手段によって得られた各受信信号に対し前記タイミング検出手段の全てから検出されたタイミング情報に基づいて同期処理を行うタイミング同期手段と、
前記各受信レベル検出手段により検出された受信レベルを比較して最大の受信レベルを持つブランチを検出する受信レベル比較手段と、
各ブランチに複数設置された前記タイミング同期手段の出力信号のうちから、前記受信レベル比較手段により検出されたブランチ情報に基づき信号を選択する複数の選択手段と、を具備することを特徴とするダイバーシチ受信回路。
【請求項７】
前記請求項１乃至４のいずれかに記載のダイバーシチ受信回路において、
前記信号合成手段は、
各受信レベル検出手段により検出された受信レベルと、各チャネル特性検出手段により検出された各サブキャリアの振幅情報とから各系統の重み係数を算出する重み係数演算手段と、
前記算出された各重み係数と前記各チャネル等化手段からの出力信号とをそれぞれ乗算する乗算手段と、
前記各乗算手段の出力値を加算し、加算結果を出力する加算手段と、
を具備することを特徴とするダイバーシチ受信回路。
【発明の詳細な説明】
【０００１】
【発明の属する技術分野】
本発明は、ＯＦＤＭ変復調方式に適したダイバーシチ受信回路に関する。
【０００２】
【従来の技術】
一般に無線通信におけるフェージング対策及びＳ／Ｎの向上を目的として、ダイバーシチ方式の通信が採用されている。これらは、相関の少ない２つ以上の信号を得て、これらから選択若しくはこれらを合成することによって、良質の通信を行う受信方式である。
【０００３】
このマルチパス伝搬に起因する周波数選択性フェージング環境下では、サブキャリア毎に平均振幅及び位相回転量が異なる。従って、サブキャリア毎にダイバーシチ合成を行う方式が、ＯＦＤＭに適したダイバーシチ方式として知られている。サブキャリア毎の合成を行うために、各ブランチで同期処理されたＯＦＤＭ信号をフーリエ変換によりサブキャリア信号に変換した後、ダイバーシチ合成を行う。また、改善効果の大きいダイバーシチ合成のためには、各ブランチのサブキャリア信号の基準位相を揃える必要があるため、ダイバーシチ合成前に等化処理を行うことになる。
【０００４】
図１３には、各系統の受信レベル及び各サブキャリアの振幅情報に基づき等化処理後の各ブランチの信号を重み付け合成する従来のＯＦＤＭ変復調方式に適したダイバーシチ受信回路の構成例を示す。ここでは、I系統とII系統のブランチ数２のダイバーシチの一例を示している。
【０００５】
この構成例において、アンテナ４１-1，４１-2で受信された信号は、それぞれ受信レベル検出回路４２-1，４２-2及び受信回路４３-1，４３-2に入力される。受信レベル検出回路４２-1，４２-2は、それぞれ入力された信号の受信レベルを検出する。
【０００６】
一方、受信回路４３-1，４３-2は、それぞれ入力された信号の増幅やダウンコンバート等の必要な受信処理を行い受信信号（Ｓ１），（Ｓ２）を出力する。これらの受信回路４３-1，４３-2から出力される受信信号（Ｓ１），（Ｓ２）は、それぞれタイミング検出回路４４-1，４４-2及びタイミング同期回路４５-1，４５-2に入力される。
【０００７】
タイミング検出回路４４-1，４４-2は、それぞれ受信信号（Ｓ１），（Ｓ２）からタイミング同期処理に必要なタイミング情報を検出し、検出したタイミング情報をそれぞれタイミング同期回路４５-1，４５-2に与える。タイミング同期回路４５-1，４５-2は、それぞれ与えられたタイミング情報に基づき受信信号（Ｓ１），（Ｓ２）のタイミング同期処理を行う。
【０００８】
これらのタイミング同期回路４５-1，４５-2から出力されるタイミング同期信号（Ｓ３），（Ｓ４）は、それぞれキャリア周波数誤差検出回路４６-1，４６-2及びキャリア周波数誤差補正回路４７-1，４７-2に与えられる。キャリア周波数誤差検出回路４６-1，４６-2は、それぞれタイミング同期信号（Ｓ３），（Ｓ４）からキャリア周波数誤差量を検出し、検出したキャリア周波数誤差量をそれぞれキャリア周波数誤差補正回路４７-1，４７-2に与える。
【０００９】
キャリア周波数誤差補正回路４７-1，４７-2は、それぞれキャリア周波数誤差検出回路４６-1，４６-2から与えられたキャリア周波数誤差量に相当する位相回転量だけ信号（Ｓ３），（Ｓ４）の位相を逆回転させることにより、キャリア周波数誤差を補正し、キャリア周波数誤差補正信号（Ｓ５），（Ｓ６）をそれぞれフーリエ変換回路４８-1，４８-2に与える。フーリエ変換回路４８-1，４８-2は、多重化されたＯＦＤＭ信号を分波するため、それぞれキャリア周波数誤差補正信号（Ｓ５），（Ｓ６）をフーリエ変換し、フーリエ変換を行ったサブキャリア信号（Ｓ７），（Ｓ８）をそれぞれチャネル特性検出回路４９-1，４９-2及びチャネル等化回路５０-1，５０-2に与える。
【００１０】
チャネル特性検出回路４９-1，４９-2は、それぞれサブキャリア信号（Ｓ７），（Ｓ８）から、各サブキャリアの振幅情報及び位相回転量を検出し、その検出結果をそれぞれチャネル等化回路５０-1，５０-2及び信号合成回路５１に与える。
【００１１】
チャネル等化回路５０-1，５０-2は、それぞれチャネル特性検出回路４９-1，４９-2から与えられた各サブキャリアの振幅情報及び位相回転量に基づきサブキャリア信号（Ｓ７），（Ｓ８）のチャネル等化を行い、チャネル等化されたチャネル等化信号（Ｓ９），（Ｓ１０）を信号合成回路５１に与える。
【００１２】
信号合成回路５１は、受信レベル検出回路４２-1，４２-2により求められた受信レベル及びチャネル特性検出回路４９-1，４９-2により検出された各サブキャリアの振幅情報に基づき、ダイバーシチ合成後の信号のＳ／Ｎを高めるように重み係数を算出し、算出した重み係数を信号（Ｓ９），（Ｓ１０）に乗算することにより重み付け合成を行う。
【００１３】
【発明が解決しようとする課題】
前述した従来のダイバーシチ方式で、サブキャリア毎に平均振幅及び位相回転量の異なる周波数選択性フェージング環境下において、サブキャリア毎にダイバーシチ合成を行う方式を適用すると、大きな符号誤り率の改善が得られる。
【００１４】
しかし、低Ｃ／Ｎ環境下では、各ブランチのキャリア周波数誤差検出回路におけるキャリア周波数誤差量の検出精度は、雑音により低くなる。このため、ダイバーシチ合成による符号誤り率の改善量が小さくなってしまうという問題があった。
【００１５】
そこで本発明は、各ブランチから検出されるキャリア周波数誤差量を各ブランチの受信レベルに基づき重み付け合成することにより、キャリア周波数誤差検出回路のキャリア周波数誤差量検出精度を高め、符号誤り率を改善するダイバーシチ受信回路を提供することを目的とする。
【００１６】
【課題を解決するための手段】
本発明は上記目的を達成するために、フェージングに対して互いに独立な複数系統のＯＦＤＭ信号をそれぞれ受信する複数の受信手段と、前記各受信手段によって得られた受信信号の受信レベルをそれぞれ検出する複数の受信レベル検出手段と、前記各受信手段によって得られた前記受信信号からキャリア周波数誤差量をそれぞれ検出する複数の粗調キャリア周波数誤差検出手段と、前記各粗調キャリア周波数誤差推定手段により推定されたキャリア周波数誤差量に基づき前記各受信手段によって得られた前記受信信号に対しキャリア周波数誤差補正をそれぞれ行う複数の第１のキャリア周波数誤差補正手段と、前記各第１のキャリア周波数誤差補正手段の出力信号からそれぞれタイミング同期処理に必要なタイミング情報を検出する複数のタイミング検出手段と、前記各タイミング検出手段により検出されたタイミング情報を用いて前記各第１のキャリア周波数誤差補正手段の出力信号に対しタイミング同期処理を行う複数のタイミング同期手段と、前記各タイミング同期手段の出力信号からそれぞれキャリア周波数誤差量を検出する複数の微調キャリア周波数誤差検出手段と、前記各粗調キャリア周波数誤差検出手段より検出されたキャリア周波数誤差量及び前記各微調キャリア周波数誤差検出手段より検出されたキャリア周波数誤差量をそれぞれ加算する複数の加算手段と、前記各加算手段の出力を前記各受信レベル検出手段によって検出された受信レベルに基づいて重み付け合成することにより、キャリア周波数誤差量を推定するキャリア周波数誤差推定手段と、前記キャリア周波数誤差推定手段により推定されたキャリア周波数誤差量から前記各粗調キャリア周波数誤差検出手段により検出されたキャリア周波数誤差をそれぞれ減算する複数の減算手段と、前記各減算手段の出力に基づき前記各タイミング同期手段の出力信号のキャリア周波数誤差補正をそれぞれ行う複数の第２のキャリア周波数誤差補正手段と、前記各第２のキャリア周波数誤差補正手段の出力信号をそれぞれフーリエ変換する複数のフーリエ変換手段と、前記各フーリエ変換手段によりフーリエ変換された信号からサブキャリアの振幅情報及び位相情報をそれぞれ検出する複数のチャネル特性検出手段と、前記各チャネル特性検出手段により検出された各サブキャリアの振幅情報及び位相情報を用いて前記各フーリエ変換手段の出力信号に対しそれぞれ等化処理を行う複数のチャネル等化手段と、前記各チャネル等化手段の出力信号を前記各受信レベル検出手段により検出された前記受信レベル及び前記各チャネル検出手段により検出された前記各サブキャリアの振幅情報を基に重み付け合成を行う信号合成手段とを備えるダイバーシチ受信回路を提供する。
【００２１】
【発明の実施の形態】
以下、図面を参照して本発明の実施形態について詳細に説明する。
図１には、本発明の第１の実施形態に係るダイバーシチ受信回路の構成例を示し説明する。ここで、図１に示す構成部位において、アンテナ１-1，１-2、受信レベル検出回路２-1，２-2、受信回路３-1，３-2、タイミング検出回路４-1，４-2、タイミング同期回路５-1，５-2、キャリア周波数誤差検出回路６-1，６-2、キャリア周波数誤差補正回路７-1，７-2、フーリエ変換回路８-1，８-2、チャネル特性検出回路９-1，９-2、チャネル等化回路１０-1，１０-2、信号合成回路１１は、前述した図１３に示した同名称の構成部位と同様の機能を有しており、ここでの詳細な説明を省略する。
【００２２】
この実施形態のダイバーシチ受信回路は、I系統とII系統のブランチ数２の構成例を示す。但し、本発明は、以降に説明する各実施形態においても、ブランチ数が”２”に限定されるものではなく、多数のブランチ数のシステムにも容易に適用できる。
このダイバーシチ受信回路は、図１３の従来の回路構成にキャリア周波数誤差推定回路１２を加えた構成であり、このキャリア周波数誤差推定回路１２は、高精度にキャリア周波数誤差を推定する手段として用いられており、各ブランチのキャリア周波数誤差検出回路６-1，６-2によって検出されたキャリア周波数誤差に対して、受信レベル検出回路２-1，２-2により検出された各ブランチの受信レベルに基づき重み付け合成を行う。
【００２３】
即ち、キャリア周波数誤差補正回路７-1，７-2は、それぞれキャリア周波数誤差検出回路６-1，６-2により検出されるキャリア周波数誤差に基づき、キャリア周波数誤差の補正を行う従来の構成とは異なり、キャリア周波数誤差推定回路１２により推定されたキャリア周波数誤差に基づき高精度に補正が行われる。
【００２４】
まず、アンテナ１-1，１-2でそれぞれ受信された信号は、受信回路３-1，３-2に入力され、増幅や所定の受信処理が施され、タイミング検出回路４-1，４-2及びタイミング同期回路５-1，５-2に出力される。
【００２５】
これらのタイミング同期回路５-1，５-2から、キャリア周波数誤差検出回路６-1，６-2及び、キャリア周波数誤差補正回路７-1，７-2にそれぞれタイミング同期信号（Ｓ３），（Ｓ４）が出力される。そしてキャリア周波数誤差検出回路６-1，６-2により、それぞれのタイミング同期信号（Ｓ３），（Ｓ４）からキャリア周波数誤差量（Ａ１），（Ａ２）が検出され、キャリア周波数誤差推定回路１２に出力される。
【００２６】
このキャリア周波数誤差推定回路１２は、受信レベル検出回路２-1，２-2により検出された各受信レベルに基づき、キャリア周波数誤差量（Ａ１），（Ａ２）を重み付け合成することにより高精度なキャリア周波数誤差量（Ｂ）を推定し、推定したキャリア周波数誤差量（Ｂ）をキャリア周波数誤差補正回路７-1，７-2に出力する。
キャリア周波数誤差補正回路７-1，７-2では、それぞれ与えられたキャリア周波数誤差量（Ｂ）に基づき、タイミング同期信号（Ｓ３），（Ｓ４）に対してキャリア周波数誤差補正を施す。
【００２７】
前述したように従来のダイバーシチ受信回路では、各ブランチで独立にキャリア周波数誤差量を検出し補正を行っていたため、低Ｃ／Ｎ環境下においてキャリア周波数誤差量の検出精度が雑音により低下したため、ダイバーシチ方式による符号誤り率特性の改善量も低下することが問題であった。
【００２８】
本実施形態のダイバーシチ受信回路によれば、各ブランチで検出されたキャリア周波数誤差量を各ブランチの受信レベルに基づき重み付け合成する。この重み付け合成により、キャリア周波数誤差量の検出誤差が小さくなるため、各ブランチで独立にキャリア周波数誤差量を検出する場合に比べ、キャリア周波数誤差量を高精度に推定することができる。
【００２９】
この重み付け合成されたキャリア周波数誤差量を各ブランチ共通のキャリア周波数誤差補正量とすることで、各ブランチのキャリア周波数誤差補正を高精度に行うことができる。
従って、キャリア周波数誤差補正の精度向上により、ダイバーシチ受信回路の符号誤り率特性を改善することができる。
【００３０】
次に図２には、本発明の第２の実施形態に係るダイバーシチ受信回路の構成例を示し説明する。ここで、図２に示す構成部位において、図１に示した構成部位と同等機能を有する部位には、同じ参照符号を付して、その詳細な説明は省略する。本実施形態は、ブランチ数２の構成例により説明するがこのブランチ数に限定されるものではない。
【００３１】
本実施形態は、高精度にキャリア周波数誤差を推定する手段として、各ブランチの粗調キャリア周波数誤差検出回路１３-1，１３-2及び微調キャリア周波数誤差検出回路１５-1，１５-2から検出されるキャリア周波数誤差をそれぞれ加算する加算回路１６-1，１６-2と、加算回路１６-1，１６-2によって算出されたキャリア周波数誤差量を各ブランチの受信レベルに基づき重み付け合成するキャリア周波数誤差推定回路１２と、このキャリア周波数誤差推定回路１２の出力からそれぞれ粗調キャリア周波数誤差検出回路１３-1，１３-2の出力を減算する減算回路１７-1，１７-2とを備えている。
【００３２】
この構成により、キャリア周波数誤差補正回路７-1，７-2は、キャリア周波数誤差推定回路１２により高精度に推定されたキャリア周波数誤差量からキャリア周波数誤差補正回路１４-1，１４-2で既に補正されたキャリア周波数誤差補正量を減算した値に基づき高精度に補正を行うことができる。
【００３３】
具体的には、まず、アンテナ１-1，１-2でそれぞれ受信された信号は、受信回路３-1，３-2及び受信レベル検出回路２-1，２-2に入力される。そして受信回路３-1，３-2により得られた受信信号（Ｓ１），（Ｓ２）は、それぞれ粗調キャリア周波数誤差検出回路１３-1，１３-2及びキャリア周波数誤差補正回路１４-1，１４-2に入力される。粗調キャリア周波数誤差補正回路１３-1，１３-2は、それぞれ受信信号（Ｓ１），（Ｓ２）からキャリア周波数誤差量（Ｃ１），（Ｃ２）を検出し、検出したキャリア周波数誤差量をキャリア周波数誤差補正回路１４-1，１４-2、加算回路１６-1，１６-2及び減算回路１７-1，１７-2にそれぞれ出力する。
【００３４】
キャリア周波数誤差補正回路１４-1，１４-2では、それぞれキャリア周波数誤差量（Ｃ１），（Ｃ２）に基づき、受信信号（Ｓ１），（Ｓ２）に対してキャリア周波数誤差補正を行い、キャリア周波数誤差補正信号（Ｓ１１），（Ｓ１２）をそれぞれタイミング検出回路４-1，４-2及びタイミング同期回路５-1，５-2に出力する。
【００３５】
そして、タイミング検出回路４-1，４-2は、キャリア周波数誤差補正信号（Ｓ１１），（Ｓ１２）からタイミング同期処理に必要なタイミング情報を検出しそれぞれタイミング同期回路５-1，５-2に出力する。これらのタイミング同期回路５-1，５-2は、それぞれタイミング検出回路４-1，４-2から与えられたタイミング情報を用いて、キャリア周波数誤差補正信号（Ｓ１１），（Ｓ１２）に対してタイミング同期処理を施す。そしてタイミング同期回路５-1，５-2から出力されたタイミング同期信号（Ｓ３），（Ｓ４）は、それぞれ微調キャリア周波数誤差検出回路１５-1，１５-2及びキャリア周波数誤差補正回路７-1，７-2に出力される。
【００３６】
次に、微調キャリア周波数誤差検出回路１５-1，１５-2は、それぞれタイミング同期信号（Ｓ３），（Ｓ４）のキャリア周波数誤差量（Ｄ１），（Ｄ２）を検出して、それぞれ加算回路１６-1，１６-2へ出力する。そして、加算回路１６-1，１６-2では、粗調キャリア周波数誤差回路により検出されたキャリア周波数誤差量（Ｃ１），（Ｃ２）と微調キャリア周波数誤差検出回路により検出されたキャリア周波数誤差量（Ｄ１），（Ｄ２）とをそれぞれ加算し、その加算結果（Ｃ１）＋（Ｄ１），（Ｃ２）＋（Ｄ２）をキャリア周波数誤差推定回路１２へ与える。
【００３７】
次に、キャリア周波数誤差推定回路１２は、受信レベル検出回路２-1，２-2により検出された受信レベルに基づき、キャリア周波数誤差量（Ｃ１）＋（Ｄ１），（Ｃ２）＋（Ｄ２）を重み付け合成することにより、高精度にキャリア周波数誤差量を推定し、キャリア周波数誤差推定結果（Ｅ）を減算回路１７-1，１７-2に与える。
【００３８】
これらの減算回路１７-1，１７-2は、キャリア周波数誤差推定結果（Ｅ）から、それぞれキャリア周波数誤差量（Ｃ１），（Ｃ２）を減算し、それらの減算結果（Ｅ）−（Ｃ１），（Ｅ）−（Ｃ２）をキャリア周波数誤差補正回路７-1，７-2に与える。
キャリア周波数誤差補正回路７-1，７-2では、それぞれの減算結果（Ｅ）−（Ｃ１），（Ｅ）−（Ｃ２）に基づき、タイミング同期信号（Ｓ３），（Ｓ４）のキャリア周波数誤差補正を行う。
【００３９】
従来のダイバーシチ受信回路は、各ブランチで独立にキャリア周波数誤差量を検出し補正を行っていたため、低Ｃ／Ｎ環境下においては、キャリア周波数誤差量の検出精度が雑音により低下していた。
【００４０】
この実施形態のダイバーシチ受信回路によれば、各ブランチの粗調キャリア周波数誤差検出手段により検出されたキャリア周波数誤差量と微調キャリア周波数誤差検出手段で検出されたキャリア周波数誤差量との加算によって算出された各ブランチの総合のキャリア周波数誤差量を各ブランチの受信レベルに基づき重み付け合成する。
この重み付け合成を行うことにより、キャリア周波数誤差量の検出誤差が小さくなり、各ブランチで独立にキャリア周波数誤差量を検出する場合に比べ、キャリア周波数誤差量を高精度に推定することができる。
【００４１】
この重み付け合成されたキャリア周波数誤差量を各ブランチ共通のキャリア周波数誤差補正量とするため、重み付け合成されたキャリア周波数誤差補正量から各ブランチの粗調キャリア周波数誤差検出回路で検出されたキャリア周波数誤差量を減算した値だけ各ブランチ毎にキャリア周波数誤差補正を行うことで、各ブランチのキャリア周波数誤差補正を高精度に行うことができる。
よって、キャリア周波数誤差補正の精度が向上して、ダイバーシチ受信回路の符号誤り率特性が改善される。
【００４２】
次に図３には、本発明の第３の実施形態に係るダイバーシチ受信回路の構成例を示し説明する。
本実施形態は、前述した図１に示した第１の実施形態の構成における信号合成回路１１の出力側に残留キャリア周波数誤差補正回路１８を設けた構成である。ここで、図３に示す構成部位において、図１に示した構成部位と同等機能を有する部位には、同じ参照符号を付して、信号合成回路１１までの詳細な説明は省略する。本実施形態は、ブランチ数２の構成例により説明するが、このブランチ数に限定されるものではない。
【００４３】
このダイバーシチ受信回路は、第１の実施形態で説明した各ブランチI，IIで検出されたキャリア周波数誤差量を受信レベル検出回路２-1，２-2により検出される各ブランチの受信レベルに基づき、重み付け合成して、高精度にキャリア周波数誤差を推定するキャリア周波数誤差推定回路１２が設けられ、さらに、信号合成回路１１から出力される信号の残留キャリア周波数誤差を高精度に補正する残留キャリア周波数誤差補正回路１８とが備えられている。
【００４４】
この残留キャリア周波数誤差補正回路１８は、回路構成により発生する実際のキャリア周波数誤差量から補正したキャリア周波数誤差量の差分を残留キャリア周波数誤差量として算出し、これに基づき残留キャリア周波数誤差補正を行っている。
【００４５】
即ち、キャリア周波数誤差推定回路１２で推定されたキャリア周波数誤差量に基づき、各ブランチで同一量のキャリア周波数誤差補正を行うため、各ブランチの残留キャリア周波数誤差量が等しくなる。これにより、各ブランチ毎に残留キャリア周波数誤差補正を行う必要のあった従来の回路構成とは異なり、信号合成回路１１から出力される重み付け合成後の信号の残留キャリア周波数誤差を補正することができる。この重み付け合成に基づき、残留キャリア周波数誤差補正回路１８は、合成信号（Ｓ１３）の残留キャリア周波数誤差を検出して、Ｓ／Ｎの向上した信号の補正を高精度に行うことができる。
【００４６】
以上説明したように、本実施形態のダイバーシチ受信回路は、各ブランチで検出されたキャリア周波数誤差量を各ブランチの受信レベルに基づき重み付け合成する。この重み付け合成により、キャリア周波数誤差量の検出誤差が小さくなるため、各ブランチで独立にキャリア周波数誤差量を検出する場合に比べ、キャリア周波数誤差量を高精度に推定することができる。
【００４７】
この重み付け合成されたキャリア周波数誤差量を各ブランチ共通のキャリア周波数誤差補正量とすることで、各ブランチのキャリア周波数誤差補正を高精度に行うことができる。
さらに、本実施形態によるダイバーシチ受信回路では、各ブランチで同一量のキャリア周波数誤差補正を行うため、各ブランチの残留キャリア周波数誤差量が等しくなる。
【００４８】
従って、各ブランチ毎に残留キャリア周波数誤差の補正を行う必要がなく、ダイバーシチ合成後の信号に対して一括して残留キャリア周波数誤差の補正を行うことができる。ダイバーシチ合成後の信号ではＳ／Ｎが向上するため、高精度に残留キャリア周波数誤差の補正を行うことができる。
本実施形態は、キャリア周波数誤差検出の精度の向上及び残留キャリア周波数誤差補正の精度の向上により、ダイバーシチ受信回路の符号誤り率特性を改善することができる。
【００４９】
次に図４には、本発明の第４の実施形態に係るダイバーシチ受信回路の構成例を示し説明する。
本実施形態は、前述した第２の実施形態の信号合成回路１１の出力側に第３の実施形態で説明した残留キャリア周波数誤差補正回路１８を設けた構成例である。ここで、図１及び図２に示した構成部位と同等機能を有する部位には、同じ参照符号を付して、信号合成回路１１までの詳細な説明は省略する。本実施形態は、ブランチ数２の構成例により説明するが、このブランチ数に限定されるものではない。
【００５０】
このダイバーシチ受信回路は、各ブランチの粗調キャリア周波数誤差検出回路１３-1，１３-2及び微調キャリア周波数誤差検出回路１５-1，１５-2から検出されるキャリア周波数誤差をそれぞれ加算する加算回路１６-1，１６-2と、加算回路１６-1，１６-2によって算出されたキャリア周波数誤差量を各ブランチの受信レベルに基づき重み付け合成するキャリア周波数誤差推定回路１２と、キャリア周波数誤差推定回路１２の出力からそれぞれ粗調キャリア周波数誤差検出回路１３-1，１３-2の出力を減算する減算回路１７-1，１７-2と、信号合成回路１１から出力される信号残留キャリア周波数誤差を補正する残留キャリア周波数誤差補正回路１８を備えている。
【００５１】
このような構成により、キャリア周波数誤差推定回路１２で推定されたキャリア周波数誤差量に基づき各ブランチで同一量のキャリア周波数誤差補正を行うため、各ブランチの残留キャリア周波数誤差は等しくなる。
従って、各ブランチ毎に残留キャリア周波数誤差補正を行う必要のあった従来の回路構成とは異なり、信号合成回路１１から出力される重み付け合成後の信号（Ｓ１３）に対して残留キャリア周波数誤差補正回路１８により残留キャリア周波数誤差を補正する。つまり、重み付け合成により、Ｓ／Ｎの向上した信号の残留キャリア周波数誤差を補正することにより高精度に残留キャリア周波数誤差補正が行われる。
【００５２】
以上説明した第４の実施形態のダイバーシチ受信回路によれば、従来技術による符号誤り率特性の改善量低下に対して、まず、各ブランチの粗調キャリア周波数誤差補正回路により検出されたキャリア周波数誤差量と、微調キャリア周波数誤差補正回路で検出されたキャリア周波数誤差量との加算によって算出された各ブランチの総合のキャリア周波数誤差量を各ブランチの受信レベルに基づき重み付け合成する。
【００５３】
この重み付け合成により、キャリア周波数誤差量の検出誤差が小さくなるため、各ブランチで独立にキャリア周波数誤差量を検出する場合に比べ、キャリア周波数誤差量を高精度に推定することができる。
この重み付け合成されたキャリア周波数誤差量を各ブランチ共通のキャリア周波数誤差補正量にするために、重み付けされたキャリア周波数誤差補正量から各ブランチの粗調キャリア周波数誤差検出手段で検出されたキャリア周波数誤差量を減算した値だけ各ブランチ毎にキャリア周波数誤差補正を施すことにより、各ブランチのキャリア周波数誤差補正を高精度に行うことができる。
【００５４】
また、等化処理後の信号に含まれる残留キャリア周波数誤差の補正を行う場合、各ブランチで独立にキャリア周波数誤差補正を行う従来構成では、ブランチ毎に残留キャリア周波数誤差量が異なるため、ブランチ毎に残留キャリア周波数誤差補正を行う必要がある。
【００５５】
本実施形態のダイバーシチ受信回路では、各ブランチで同一量のキャリア周波数誤差補正を行うため、各ブランチの残留キャリア周波数誤差量が等しくなる。従って、各ブランチ毎に残留キャリア周波数誤差の補正を行う必要がなく、ダイバーシチ合成後の信号に対して一括して残留キャリア周波数誤差の補正を行うことができる。ダイバーシチ合成後の信号では、Ｓ／Ｎが向上するため、高精度に残留キャリア周波数誤差の補正を行うことができる。
よって、キャリア周波数誤差検出の精度の向上及び残留キャリア周波数誤差補正の精度の向上により、ダイバーシチ受信回路の符号誤り率特性を改善することができる。
【００５６】
次に図５には、本発明の第５の実施形態に係るダイバーシチ受信回路の構成例を示し説明する。
本実施形態は、前述した第１の実施形態の構成の出力側に位相トラッキング回路を付加したものである。ここで、図５に示す構成部位において、図１及び図３に示した構成部位と同等機能を有する部位には、同じ参照符号を付してその詳細な説明は省略する。本実施形態は、ブランチ数２の構成例により説明するが、このブランチ数に限定されるものではない。
【００５７】
この第５実施形態は、前述した第３の実施形態の構成において、残留キャリア周波数誤差補正回路１８に代わって、位相トラッキング回路１９を備えたものである。
【００５８】
このダイバーシチ受信回路は、キャリア周波数誤差推定回路１２により、各ブランチで検出されたキャリア周波数誤差量を各ブランチの受信レベルに基づき重み付け合成して、キャリア周波数誤差を高精度に推定する。また、キャリア周波数誤差推定回路１２で推定されたキャリア周波数誤差に基づき、各ブランチで同一量のキャリア周波数誤差補正を行うため、残留キャリア周波数誤差に起因する各ブランチの残留位相誤差は等しくなる。
【００５９】
従って、各ブランチ毎に残留位相誤差補正を行う必要のあった従来の回路構成とは異なり、信号合成回路１１は、受信レベル検出回路２-1，２-2により検出された受信レベル及び、チャネル特性検出回路９-1，９-2により検出された各サブキャリアの振幅情報に基づいて、それぞれのブランチからのチャネル等化信号（Ｓ９），（Ｓ１０）を重み付け合成することでＳ／Ｎの向上した合成信号（Ｓ１３）として位相トラッキング回路１９に出力する。この信号合成回路１１の出力信号は、１つの合成信号であるため、トラッキング回路１９により合成信号の残留位相誤差を高精度に補正することができる。
【００６０】
以上説明したように、この第５の実施形態のダイバーシチ受信回路は、各ブランチで検出されたキャリア周波数誤差量を各ブランチの受信レベルに基づき、重み付け合成する。この重み付け合成により、キャリア周波数誤差量の検出誤差が小さくなるため、各ブランチで独立にキャリア周波数誤差量を検出する場合に比べ、キャリア周波数誤差量を高精度に推定することができる。
この重み付け合成されたキャリア周波数誤差量を各ブランチ共通のキャリア周波数誤差補正量とすることで、各ブランチのキャリア周波数誤差補正を高精度に行うことができる。
【００６１】
前述したように、等化処理後の信号に含まれる残留キャリア周波数誤差により生じる残留位相誤差の補正を行う場合、各ブランチで独立に残留位相誤差補正を行う従来構成では、ブランチ毎に残留キャリア周波数誤差量が異なるため、ブランチ毎に残留位相誤差補正を行う必要がある。この従来構成では、低Ｃ／Ｎ環境下において各ブランチの残留位相誤差補正の精度が雑音により低下する。従って、ダイバーシチによる符号誤り率特性の改善量が低下していた。
【００６２】
これに対して、本実施形態によるダイバーシチ受信回路では、各ブランチで同一量のキャリア周波数誤差補正を行うため、各ブランチの残留キャリア周波数誤差量が等しくなる。つまり、残留キャリア周波数誤差により生じる残留位相誤差量が等しくなる。
【００６３】
従って、各ブランチ毎に残留位相誤差の補正を行う必要がなく、ダイバーシチ合成後の信号に対して一括して残留位相差の補正を行うことができる。ダイバーシチ合成後の信号ではＳ／Ｎが向上するため、高精度に残留位相誤差の補正を行うことができる。
以上のことから本実施形態によれば、キャリア周波数誤差検出の精度の向上及び残留位相誤差補正の精度の向上により、ダイバーシチ受信回路の符号誤り率特性を改善することができる。
【００６４】
次に図６には、本発明の第６の実施形態に係るダイバーシチ受信回路の構成例を示し説明する。
本実施形態は、前述した第２の実施形態の構成における信号合成回路１１の出力側に位相トラッキング回路を付加したものである。ここで、図６に示す構成部位において、図１及び図２に示した構成部位と同等機能を有する部位には、同じ参照符号を付して、その詳細な説明は省略する。本実施形態は、ブランチ数２の構成例により説明するが、このブランチ数に限定されるものではない。
【００６５】
本実施形態は、前述した第２の実施形態の信号合成回路１１の出力側に第５の実施形態で説明した位相トラッキング回路１９を設けた構成例である。ここで、図１及び図２に示した構成部位と同等機能を有する部位には、同じ参照符号を付して、信号合成回路１１までの詳細な説明は省略する。本実施形態は、前述した第１の実施形態と同様に、ブランチ数２の構成例により説明するが、このブランチ数に限定されるものではない。
【００６６】
本実施形態は、前述したように高精度にキャリア周波数誤差を推定するキャリア周波数誤差推定回路１２を備え、さらに高精度に残留位相誤差を補正する手段として、信号合成回路１１から出力される信号の残留位相誤差を補正する位相トラッキング回路１９を備えた構成である。
【００６７】
この信号合成回路１１は、チャネル等化信号（Ｓ９），（Ｓ１０）を受信レベル検出回路２-1，２-2により検出された受信レベル及びチャネル特性検出回路９-1，９-2により検出された各サブキャリアの振幅情報に基づいて重み付け合成し、合成された合成信号（Ｓ１３）を位相トラッキング回路１９に与える。
【００６８】
従って、ブランチ毎に残留位相誤差補正を行う必要のあった従来構成とは異なり、信号合成回路１１から出力される重み付け合成後の信号位相トラッキング回路１９により高精度に残留位相誤差補正を行うことができる。
【００６９】
従って、従来技術の問題であったダイバーシチ受信回路による符号誤り率特性の改善量低下防止の対策として、第６の実施形態のダイバーシチ受信回路によれば、まず、各ブランチの粗調キャリア周波数誤差補正回路１３-1，１３-2により検出されたキャリア周波数誤差量と微調キャリア周波数誤差補正回路１５-1，１５-2で検出されたキャリア周波数誤差量との加算によって算出された各ブランチの総合のキャリア周波数誤差量を各ブランチの受信レベルに基づき、重み付け合成する。
【００７０】
次に、この重み付け合成により、キャリア周波数誤差量の検出誤差が小さくなるため、各ブランチで独立にキャリア周波数誤差量を検出する場合に比べ、キャリア周波数誤差量を高精度に推定することができる。
【００７１】
この重み付け合成されたキャリア周波数誤差量を各ブランチ共通のキャリア周波数誤差補正量とするために、重み付け構成されたキャリア周波数誤差補正量から各ブランチの粗調キャリア周波数誤差検出回路１３-1，１３-2で検出されたキャリア周波数誤差量を減算した値により各ブランチ毎にキャリア周波数誤差補正を行うことで、各ブランチのキャリア周波数誤差補正を高精度に行うことができる。
【００７２】
また、等化処理後の信号に含まれる残留キャリア周波数誤差により生じる残留位相誤差の補正を行う場合、各ブランチで独立に残留位相誤差補正を行う従来構成では、ブランチ毎に残留キャリア周波数誤差量が異なるため、それぞれに残留位相誤差補正を行う必要があり、このような従来構成では、低Ｃ／Ｎ環境下において各ブランチの残留位相誤差補正の精度が雑音により低下する。
【００７３】
一方、本実施形態のダイバーシチ受信回路では、各ブランチで同一量のキャリア周波数誤差補正を行うため、各ブランチの残留キャリア周波数誤差量が等しくなる。つまり、残留キャリア周波数誤差により生じる残留位相誤差量が等しくなる。従って、各ブランチ毎に残留位相誤差の補正を行う必要がなく、ダイバーシチ合成後の信号に対して、一括して残留位相誤差の補正を行うことができる。
【００７４】
前述した第２の実施形態により得られる効果に加えて、本実施形態は、ダイバーシチ合成後の信号では、Ｓ／Ｎが向上するため、高精度に残留位相誤差の補正を行うことができ、キャリア周波数誤差検出の精度の向上及び残留位相誤差補正の精度の向上により、ダイバーシチ受信回路の符号誤り率特性を改善することができる。
【００７５】
次に図７には、本発明の第７の実施形態に係るダイバーシチ受信回路の構成例を示し説明する。
【００７６】
本実施形態は、前述した第１の実施形態、第３の実施形態、又は第５の実施形態の構成におけるキャリア周波数誤差推定回路１２の一構成例を図３に示した構成にあてはめて図示しているものであるこで、図７に示す構成部位において、図１及び図３に示した構成部位と同等機能を有する部位には、同じ参照符号を付して、その詳細な説明は省略する。本実施形態は、ブランチ数２の構成例により説明するが、このブランチ数に限定されるものではない。
【００７７】
このキャリア周波数誤差推定回路１２は、受信レベル検出回路２-1，２-2から出力された受信レベルから各ブランチの重み係数（Ｗ１），（Ｗ２）を算出する重み係数演算回路２０と、この各ブランチの重み係数（Ｗ１），（Ｗ２）及びキャリア周波数誤差検出回路６-1，６-2からのキャリア周波数誤差量（Ａ１），（Ａ２）を乗算する乗算回路２１-1，２１-2と、これらの乗算結果を加算し、キャリア周波数誤差補正回路７-1，７-2にその加算結果を出力する加算回路２２とで構成される。
【００７８】
まず、受信レベル検出回路２-1，２-2から出力された受信レベルが重み係数演算回路２０に入力される。この重み係数演算回路２０では、各ブランチの受信レベルに基づき、各ブランチの重み係数（Ｗ１），（Ｗ２）を演算し、それぞれ乗算回路２１-1，２１-2に出力する。
【００７９】
一方、キャリア周波数誤差検出回路６-1，６-2は、それぞれタイミング同期信号（Ｓ３），（Ｓ４）からキャリア周波数誤差量（Ａ１），（Ａ２）を検出し、キャリア周波数誤差量（Ａ１），（Ａ２）をそれぞれ乗算回路２１-1，２１-2に出力する。これらの乗算回路２１-1，２１-2は、キャリア周波数誤差量（Ａ１），（Ａ２）に、それぞれ重み係数（Ｗ１），（Ｗ２）を乗算し、その乗算結果（Ａ１）×（Ｗ１），（Ａ２）×（Ｗ２）を加算回路２２に出力する。加算回路２２は、与えられた（Ａ１）×（Ｗ１）と（Ａ２）×（Ｗ２）とを加算し、加算結果（Ａ１）×（Ｗ１）＋（Ａ２）×（Ｗ２）をキャリア周波数誤差補正回路７-1，７-2に出力する。
【００８０】
本実施形態の作用効果は、前述した第３の実施形態と同等の効果を得ることができる。
【００８１】
次に図８には、本発明の第８の実施形態に係るダイバーシチ受信回路の構成例を示し説明する。
本実施形態は、前述した第２の実施形態、第４の実施形態、又は第６の実施形態の構成におけるキャリア周波数誤差推定回路１２の一構成例を図４に示した構成にあてはめて図示しているものである。ここで、図８に示す構成部位において、図４に示した構成部位と同等機能を有する部位には、同じ参照符号を付して、その詳細な説明は省略する。本実施形態は、ブランチ数２の構成例により説明するが、このブランチ数に限定されるものではない。
【００８２】
このキャリア周波数誤差推定回路１２は、受信レベル検出回路２-1，２-2から出力された受信レベルから各ブランチの重み係数（Ｗ１），（Ｗ２）を算出する重み係数演算回路２０と、この粗調キャリア周波数誤差検出回路１３-1，１３-2のキャリア周波数誤差量（Ｃ１），（Ｃ２）及び微調キャリア周波数誤差検出回路１５-1，１５-2のキャリア周波数誤差量（Ｄ１），（Ｄ２）を加算したものと前記各ブランチの重み係数（Ｗ１），（Ｗ２）とを乗算する乗算回路２１-2，２１-2と、これらの乗算結果を加算し、キャリア周波数誤差補正回路７-1，７-2にその加算結果を出力する加算回路２２とで構成される。
【００８３】
まず、受信レベル検出回路２-1，２-2から出力された受信レベルは、重み係数演算回路２０に入力される。この重み係数演算回路２０では、各ブランチI，IIの受信レベルに基づき、各ブランチの重み係数（Ｗ１），（Ｗ２）を演算し、それぞれ乗算回路２１-2，２１-2に出力する。一方、加算回路１６-1，１６-2は、粗調キャリア周波数誤差検出回路１３-1，１３-2のキャリア周波数誤差量（Ｃ１），（Ｃ２）と微調キャリア周波数誤差検出回路１５-1，１５-2のキャリア周波数誤差量（Ｄ１），（Ｄ２）とをそれぞれ加算し、その加算結果（Ｃ１）＋（Ｄ１），（Ｃ２）＋（Ｄ２）をそれぞれ乗算回路２１-1，２１-2に出力する。
【００８４】
この乗算回路２１-1，２１-2は、キャリア周波数誤差量（Ｃ１）＋（Ｄ１），（Ｃ２）＋（Ｄ２）に、それぞれ重み係数（Ｗ１），（Ｗ２）を乗算し、乗算結果｛（Ｃ１）＋（Ｄ１）｝×（Ｗ１），｛（Ｃ２）＋（Ｄ２）｝×（Ｗ２）を加算回路２２に出力する。加算回路２２は、入力されたそれぞれの乗算値｛（Ｃ１）＋（Ｄ１）｝×（Ｗ１）と｛（Ｃ２）＋（Ｄ２）｝×（Ｗ２）とを加算し、その加算結果｛（Ｃ１）＋（Ｄ１）｝×（Ｗ１）＋｛（Ｃ２）＋（Ｄ２）｝×（Ｗ２）をキャリア周波数誤差補正回路７-1，７-2に減算回路１７-1，１７-2を経由して出力する。
以上説明した本実施形態の作用効果は、前述した第４の実施形態と同等の効果を得ることができる。
【００８５】
次に図９には、本発明の第９の実施形態に係るダイバーシチ受信回路の構成例を示し説明する。
本実施形態は、前述した第１の実施形態乃至第８実施形態の構成における信号合成回路１１の一構成例を図８に示す構成にあてはめて図示しているものである。ここで、図９に示す構成部位において、図８に示した構成部位と同等機能を有する部位には、同じ参照符号を付して、その詳細な説明は省略する。本実施形態は、ブランチ数２の構成例により説明するが、このブランチ数に限定されるものではない。
【００８６】
この信号合成回路１１は、受信レベル検出回路２-1，２-2から出力された受信レベルとチャネル特性検出回路９-1，９-2で検出された各サブキャリアの振幅情報とから各ブランチの重み係数（Ｗ３），（Ｗ４）を算出する重み係数演算回路２３と、この各ブランチの重み係数（Ｗ３），（Ｗ４）とチャネル等化信号（Ｓ９），（Ｓ１０）とを乗算する乗算回路２４-1，２４-2と、これらの乗算結果を加算し、残留キャリア周波数誤差補正回路１８にその加算結果を出力する加算回路２５とで構成される。
【００８７】
まず、受信レベル検出回路２-1，２-2から出力された受信レベルとチャネル特性検出回路９-1，９-2で検出された各サブキャリアの振幅情報とが重み係数演算回路２３に入力される。この重み係数演算回路２３では、各ブランチの受信レベル及び各サブキャリアの振幅情報に基づき、各ブランチのサブキャリア毎の重み係数（Ｗ３），（Ｗ４）を演算し、それぞれ乗算回路２４-2，２４-2に出力する。一方、チャネル等化回路１０-1，１０-2は、チャネル等化信号（Ｓ９），（Ｓ１０）をそれぞれ乗算回路２４-1，２４-2に出力する。
【００８８】
そして乗算回路２４-1，２４-2は、チャネル等化信号（Ｓ９），（Ｓ１０）にそれぞれ重み係数（Ｗ３），（Ｗ４）を乗算して、その乗算結果（Ｓ９）×（Ｗ３），（Ｓ１０）×（Ｗ４）を加算回路２５に出力する。加算回路２５は、与えられた（Ｓ９）×（Ｗ３）と（Ｓ１０）×（Ｗ４）とを加算し、加算結果（Ｓ９）×（Ｗ３）＋（Ｓ１０）×（Ｗ４）を残留キャリア周波数誤差補正回路１８に与える。
【００８９】
よって、本実施形態によれば、受信レベルと各サブキャリアの振幅情報に基づいて、チャネル等化信号（Ｓ９），（Ｓ１０）を重み付け合成して、Ｓ／Ｎの向上した合成信号（Ｓ１３）を生成する。
【００９０】
次に図１０には、本発明の第１０の実施形態に係るダイバーシチ受信回路の構成例を示し説明する。
本実施形態は、前述した第１の実施形態乃至第６の実施形態の構成にタイミング推定回路２６を付加するものであり、それを第３の実施形態（図３）にあてはめて図示したものである。ここで、図１０に示す構成部位において、図３に示した構成部位と同等機能を有する部位には、同じ参照符号を付して、その詳細な説明は省略する。本実施形態は、ブランチ数２の構成例により説明するが、このブランチ数に限定されるものではない。
【００９１】
前述した各実施形態において、タイミング検出回路４-1，４-2で検出された各タイミング情報は、各ブランチのタイミング同期回路に出力していた。タイミング検出回路４-1，４-2は、それぞれ雑音及びフェージングにより検出するタイミング情報に異なる誤差を生じる。そこで、本実施形態では、このずれの発生を抑制するためのタイミング推定回路２６を設ける。
【００９２】
このタイミング推定回路２６は、各ブランチの受信レベル検出回路２-1，２-2から出力された受信レベルに基づき、各ブランチのタイミング検出回路４-1，４-2で検出された各タイミング情報を重み付け合成し、合成したタイミング情報（Ｆ）をそれぞれタイミング同期回路２７-1，２７-2に出力する。
【００９３】
本実施形態によれば、重み付け合成されたタイミング情報（Ｆ）により、タイミング同期回路２７-1，２７-2が共に動作するため、ブランチ間のタイミングずれが無くなり、精度の高いタイミングに信号が得られ、キャリア周波数誤差が推定され、高精度に補正を行うことができる。
【００９４】
次に図１１には、本発明の第１１の実施形態に係るダイバーシチ受信回路の構成例を示し説明する。
本実施形態において、セレクタ２９-1，２９-2は、受信レベルに応じてそれぞれタイミング同期信号（Ｓ１４-1）及び（Ｓ１４-3）、又は（Ｓ１４-2）及び（Ｓ１４-4）のどちらかの組合わせを選択する機能を持ち、タイミング精度を向上させるものである。この構成において、キャリア周波数誤差補正回路７-1，７-2及びキャリア周波数誤差検出回路６-1，６-2以降の構成においては、前述した第１の実施形態乃至第６の実施形態の構成と同等であり、本実施形態はこれを第３の実施形態（図３）にあてはめた例として記載されている。図３に示した構成部位と同等機能を有する部位には、同じ参照符号を付して、その詳細な説明は省略する。本実施形態は、ブランチ数２の構成例により説明するが、このブランチ数に限定されるものではない。
【００９５】
このダイバーシチ受信回路においては、受信回路３-1から出力された受信信号（Ｓ１）がタイミング検出回路４-1及びタイミング同期回路２８-1，２８-2にそれぞれ入力される。また、受信回路３-2から出力された受信信号（Ｓ２）は、タイミング検出回路４-2及びタイミング同期回路２８-3，２８-4にそれぞれ入力される。
【００９６】
タイミング検出回路４-1，４-2は、入力された受信信号（Ｓ１），（Ｓ２）から同期処理に必要なタイミング情報（Ｇ１），（Ｇ２）をそれぞれ検出する。
【００９７】
このタイミング情報（Ｇ１）は、タイミング同期回路２８-1と他方のブランチにあるタイミング同期回路２８-3に出力し、またタイミング情報（Ｇ２）は、タイミング同期回路２８-4と他方のブランチにあるタイミング同期回路２８-2に出力する。
【００９８】
これらのタイミング同期回路２８-1，２８-2，２８-3，２８-4は、それぞれ与えられたタイミング情報に基づき、タイミング同期処理を行い、それぞれタイミング同期処理を行ったタイミング同期信号（Ｓ１４-1），（Ｓ１４-2），（Ｓ１４-3），（Ｓ１４-4）を出力する。
【００９９】
このうち、タイミング同期信号（Ｓ１４-1），（Ｓ１４-2）は、セレクタ２９-1に出力し、タイミング同期信号（Ｓ１４-3），（Ｓ１４-4）はセレクタ２９-2に入力される。
【０１００】
一方、受信レベル検出回路２-1，２-2から出力された受信レベルは、受信レベル比較回路３０に入力される。受信レベル比較回路３０は、入力された受信レベルを比較して、最大の受信レベルを持つブランチ側を選択する指示をブランチ情報としてセレクタ２９-1，２９-2に出力する。セレクタ２９-1，２９-2は 、それぞれ与えられたブランチ情報に基づき、同じブランチ側を選択するように動作してタイミング同期信号を選択し、該タイミング信号をキャリア周波数誤差検出回路６-1，６-2及びキャリア周波数誤差補正回路７-1，７-2へ出力する。
【０１０１】
これにより、精度の良いタイミング情報でタイミング同期処理を行った信号が得られる。
【０１０２】
次に図１２には、本発明の第１２の実施形態に係るダイバーシチ受信回路の構成例を示し説明する。
本実施形態は、前述した第１の実施形態乃至第６の実施形態におけるキャリア周波数誤差推定回路１２に代わって、同様な推定処理を行う選択回路３１を付加した構成である。図１２に示す構成は、例えば、第８の実施形態の構成におけるキャリア周波数誤差推定回路１２に代わって、簡易な論理回路構成で実現できる選択回路３１を配置した例である。この図１２に示す構成部位において、図８に示した構成部位と同等機能を有する部位には、同じ参照符号を付して、その詳細な説明は省略する。本実施形態は、ブランチ数２の構成例により説明するが、このブランチ数に限定されるものではない。
【０１０３】
この選択回路３１は、受信レベル検出回路２-1，２-2から出力された受信レベル及び、加算回路１６-1，１６-2から出力されたキャリア周波数誤差を示す加算結果（Ｃ１＋Ｄ１），（Ｃ２＋Ｄ２）が入力される。
【０１０４】
この選択回路３１において、受信レベルの大きさにより、何れかのブランチを選択して、選択された側の加算回路から出力された加算結果を減算回路１７-1，１７-2に出力する。そして減算回路１７-1，１７-2で所定の減算処理を行い、キャリア周波数誤差補正回路７-1，７-2にそれぞれ出力する。
【０１０５】
これにより、受信レベルの高いブランチ側を選択することで、より精度のよいキャリア周波数誤差量を用いて補正を実施できる。
【０１０６】
ンチの受信レベルに基づき重み付け合成し、この重み付け合成により、キャリア周波数誤差量の検出誤差を小さくして、キャリア周波数誤差量を高精度に推定することができ、これを各ブランチ共通のキャリア周波数誤差補正量とすることで、各ブランチのキャリア周波数誤差補正を高精度に行うことができ、キャリア周波数誤差補正の精度向上により、ダイバーシチ受信回路の符号誤り率特性を改善することができる。
【０１０７】
【発明の効果】
以上詳述したように本発明によれば、各ブランチから検出されるキャリア周波数誤差量を各ブランチの受信レベルに基づき重み付け合成することにより、キャリア周波数誤差検出回路のキャリア周波数誤差量検出精度を高め、符号誤り率を改善するダイバーシチ受信回路を提供することができる。
【図面の簡単な説明】
【図１】第１の実施形態に係るダイバーシチ受信回路の構成例を示す図である。
【図２】第２の実施形態に係るダイバーシチ受信回路の構成例を示す図である。
【図３】第３の実施形態に係るダイバーシチ受信回路の構成例を示す図である。
【図４】第４の実施形態に係るダイバーシチ受信回路の構成例を示す図である。
【図５】第５の実施形態に係るダイバーシチ受信回路の構成例を示す図である。
【図６】第６の実施形態に係るダイバーシチ受信回路の構成例を示す図である。
【図７】第７の実施形態に係るダイバーシチ受信回路の構成例を示す図である。
【図８】第８の実施形態に係るダイバーシチ受信回路の構成例を示す図である。
【図９】第９の実施形態に係るダイバーシチ受信回路の構成例を示す図である。
【図１０】第１０の実施形態に係るダイバーシチ受信回路の構成例を示す図である。
【図１１】第１１の実施形態に係るダイバーシチ受信回路の構成例を示す図である。
【図１２】第１２の実施形態に係るダイバーシチ受信回路の構成例を示す図である。
【図１３】従来のＯＦＤＭ変復調方式に適したダイバーシチ受信回路の構成例を示す図である。
【符号の説明】
１-1，１-2…アンテナ
２-1，２-2…受信レベル検出回路
３-1，３-2…受信回路
４-1，４-2…タイミング検出回路
５-1，５-2…タイミング同期回路
６-1，６-2…キャリア周波数誤差検出回路
７-1，７-2…キャリア周波数誤差補正回路
８-1，８-2…フーリエ変換回路
９-1，９-2…チャネル特性検出回路
１０-1，１０-2…チャネル等化回路
１１…信号合成回路
１２…キャリア周波数誤差推定回路
【図１】
0003691709.tif 000002
【図２】
0003691709.tif 000003
【図３】
0003691709.tif 000004
【図４】
0003691709.tif 000005
【図５】
0003691709.tif 000006
【図６】
0003691709.tif 000007
【図７】
0003691709.tif 000008
【図８】
0003691709.tif 000009
【図９】
0003691709.tif 000010
【図１０】
0003691709.tif 000011
【図１１】
0003691709.tif 000012
【図１２】
0003691709.tif 000013
【図１３】
0003691709.tif 000014